(57)【要約】      （修正有）【課題】冬季においては、屋根面の熱を室内暖房に寄与させ、夏季は天井面に滞留する熱気の排出により冷房効果を高め。さらに通年において地熱を床下に伝導し、家中全体に送風装置により送風し、快適温度環境にできる自然熱利用省エネシステムの提供。【解決手段】屋根及び外壁の通気層と室内を換気扇で強制的に相互送風する、一方地中深部（４ｍ〜８ｍ）の年間を通じ安定した温度を利用し、熱伝導率の良い鉄筋９にて床下と地中深部との間で熱伝達させ、得られた温度の床下空気を室内空気と還流させる。【選択図】図２
2013185433.tif 000002
【特許請求の範囲】
【請求項１】
屋根及び外壁の通気層の熱気を利用して暖房に貢献する仕組み。
【請求項２】
屋根の通気層を利用して室内の滞留する熱気を排出する仕組み。
【請求項３】
基礎の下部で地中に４〜８ｍまで鉄筋を挿入し地熱を基礎底盤に伝導させ床下の温度環境に寄与する工事。
【請求項４】
鉄筋を挿入させる穴の掘削はスエーデン式サウンデイング機器など建築工事での汎用機器を使用する簡易工法。
【請求項５】
使用する鉄棒は基礎工事で汎用する異形鉄筋を使用する簡易工法。
【請求項６】
室内の空気を床下に経由して室内に還流させ温度分布の改善に寄与する簡易工法。
【発明の詳細な説明】
【技術分野】
【０００１】この発明は、建物の屋根及び外壁を通気する熱と地熱を利用し、室内と床下の通風装置で建物内の温熱環境を省エネルギーに整えるものです。【０００２】▲イ▼建物の屋根の通気層に通風装置を取り付け、冬は排出する熱を建物内に吸入し、夏は建物内の熱を通気層に排出するものです。【０００３】▲ロ▼建物の地盤面下の地熱の安価簡易利用に関するものです。【０００４】▲ハ▼室内と床下間に循環送風装置を設置し、上記▲イ▼及び▲ロ▼で得た熱エネルギーを効率よく運用することに関するものです。
【背景技術】
【０００５】▲イ▼従来の屋根通気は熱の自然排出を目的にしています。【０００６】▲ロ▼従来の地熱利用システムは地盤面下に直径３００ｍｍ程度のパイルを打ち込み地熱空気（又は地下水）を取り出しその熱を利用するものです。【０００７】▲ハ▼従来の床下環境は外気温度に近く湿気など滞留しやすい状態でした。
また換気口を設けない基礎断熱の床下は滞留空気を撹拌する機器を設置する方式が大半でした。
【発明の概要】
【発明が解決しようとする課題】
【０００８】▲イ▼屋根通気のための通気層は室内と遮断されていました。
この通気層に室内との通風管を設け冬季などは外壁や屋根面で熱くなった暖かな空気を室内に送風し、夏季は天井面に滞留する熱気を通気層へ送風排出することを課題とします。【０００９】▲ロ▼従来の技術によれば、地盤をオーガなどの大型機械で掘削するなど大掛かりな工事が必要です。
そこで、この発明は、大掛かりな工事を必要としない地熱利用を提供することを課題とします。【００１０】▲ハ▼比較的安価に床下の空気を室内と循環させることで▲イ▼▲ロ▼の効果も高めることを課題とします。
【課題を解決するための手段】
【００１１】▲イ▼問題を解決するために、屋根の通気層の一部に孔を開け室内と小型送風機で通気させる。【００１２】▲ロ▼課題を解決するために、直径１６ｍｍ程度の鉄棒を地中挿入して鉄の持つ優れた熱伝導を利用するシステムです。
（鉄の熱伝導率は土の熱伝導率の約１００倍）【００１３】▲ハ▼課題を解決するために、洗面所・脱衣室などの床又は壁に孔を開け床下に向かって通気管を設置し送風機で室内の空気を床下に強制送風し室内へ循環させる仕組みです。
【発明の効果】
【００１４】▲イ▼▲ロ▼▲ハ▼全てが安価で簡易な工事により自然のエネルギーで冷暖房効果の高い省エネルギーな建物が完成します。
【図面の簡単な説明】
【００１５】
【図１】▲イ▼この発明の概略を示す断面図。
【図２】▲ロ▼この発明の概略を示す断面図。
【図３】▲ハ▼この発明の概略を示す断面図。
【写真１】
▲ロ▼この発明の施工状況を示す写真。
【発明を実施するための形態】
【００１６】▲イ▼屋根通気層から室内に直径１００ｍｍ程度の貫通穴を２個開ける。
屋根断熱が施してあり小屋裏がロフトなど室内の場合は天井面に送風機（換気扇）を２台貫通穴に設置する。
【００１７】１台は室内の空気を通気層に排出する目的（夏季用）
もう１台は通気層の温かい空気を室内に送る目的（冬季用）
各々の送風機は電気スイッチで操作する。
室温の過度の上昇時は居住者の判断で操作する。
【００１８】天井断熱で小屋裏が無い場合は屋根裏通気層に開けた孔からパイプで平天井部分まで送風路を造り室内の天井面に上記送風機を各々設置する。
【００１９】▲ロ▼地中熱が安定する地下４〜８ｍ近辺までスエーデン式サウンデイング機器などを利用して直径２０ｍｍ程度の穴を掘り鉄棒の地中挿入を容易にします。
【００２０】スエーデン式サウンデイング機器は地盤調査に使用する機器で容易に調達でき、本発明施工のための機器を開発する必要がありません。
【００２１】鉄棒は基礎配筋に利用する異形鉄筋（Ｄ１６など）を主に利用することで配送の効率化と工事現場に保管することが容易です。
【００２２】使用する異形鉄筋は丸鋼と異なり集熱面積の拡大が図れます。
【００２３】鉄棒からは伝導してくる熱以外に湿気や臭気の伝導が考えられますが鉄棒の地上部分の防湿フィルムで遮断し、伝導熱だけを基礎底盤部に伝えます。
【００２４】▲ハ▼洗面所や脱衣室などの床又は壁に直径１００ｍｍ程度の孔を開け、吸気カバー（市販品）を取り付けます。
【００２５】その孔から床下に向かって通気管を設置します。
【００２６】振動、騒音防止に防振ゴムを下敷にして床地盤面に送風機を設置します。
【００２７】送風機はメンテナンスのため床下点検口や床下収納庫の周辺に設置します。
【００２８】送風された空気はなるべく基礎の対角で室内に取り入れます。そのためのスリットを室内の床に設置します。
「実施形態の効果」
この実施形態によれば、冬季は屋根面の熱が室内暖房に寄与し、夏季は天井面に滞留する熱気の排出で冷房効果が高まります。また年間を通じ安定した地熱を床下に伝導することができます。さらに床下への送風装置で家中全体が省エネルギーの快適温度環境になると期待できます。
【符号の説明】
【００２９】図面▲イ▼
▲１▼棟換気＝屋根通気工法では設置済です。
▲２▼屋根材＝瓦、カラーベスト、ガリバリューム等。
▲３▼屋根下地材＝構造用合板等。
▲４▼屋根通気層＝通気のための層
▲５▼天井仕上げ材＝プラスターボード等下地クロスなど。
▲６▼排気扇＝夏季に室内に滞留する熱気を排出する換気扇。
▲７▼吸気扇＝冬季に屋根通気層から暖気を吸入する換気扇。
▲８▼ダクト＝平天井がある場合のダクト管。【００３０】図面▲ロ▼
▲９▼異形鉄筋＝地中に埋め込む。
▲１０▼割栗石＝通常の基礎に使用。地中の伝導熱を蓄積する。
▲１１▼均しコンクリート＝通常の基礎に使用。
▲１２▼防湿フィルム＝通常の基礎に使用。地中からの湿気・臭気を遮断。
▲１３▼基礎コンクリート底盤＝通常の基礎に使用。地中の伝導熱を蓄積。
▲１４▼基礎断熱＝地下から得た熱を床下で外気より保温する。
▲１５▼気密パッキン＝外気の床下への空気流入を遮断する。【００３１】図面▲ハ▼
▲１６▼吸気孔＝洗面所や脱衣室等に直径１００ｍｍ程度の孔をあけ市販のカバーで化粧する。
▲１７▼通気管＝吸入した室内空気を導く配管。
▲１８▼送風扇＝室内空気を床下から経由して室内に送る換気扇。
▲１９▼防振ゴム＝送風扇の振動を軽減させる。
▲２０▼室内への通気口＝床下で熱交換した空気を室内へ出すためのスリット。数か所必要な場合がある。市販品で賄う。【００３２】写真１
（Ａ）鉄筋を挿入する穴を掘削する機器＝スエーデン式サウンデイング機
（Ｂ）鉄筋を挿入する穴が掘削できた状態。
【図１】
2013185433.tif 000003
【図２】
2013185433.tif 000004
【図３】
2013185433.tif 000005